(57)【要約】底壁、周壁、頂壁から成る飲料タンク２０を有し、飲料を収容する蓋付きプラスチック容器５０を、蓋の付いたまま倒立姿勢で装着して飲料タンク２０に飲料の補給を行なうようになされた飲料供給器１０。飲料タンクがハウジング１２内に収蔵され、ハウジングにプラスチック容器挿入用開口部１４Ａ、１４Ｂが形成されている。該開口部から飲料タンクの頂壁まで延びる管状壁１６Ａ、１６Ｂに沿ってプラスチック容器が挿入される。管状壁の下部にプラスチック容器用開栓手段２６が存在する。飲料タンク内の飲料を取り出すための蛇口装置３０が、ハウジングの前面壁に装着されている。プラスチック容器の蓋６０の頂壁が局部的に破断容易になされ、容器挿入時に開栓手段で破壊される。破壊された蓋開口を通じて飲料タンク内に飲料が注入される。
2002048020.tif 000002
【特許請求の範囲】
【請求項１】
底壁、周壁および頂壁から成る飲料タンクを有し、飲料を収容する蓋付きプラスチック容器を、蓋の付いたまま倒立姿勢で装着することにより前記飲料タンクに飲料の補給を行なうようになっている飲料供給器において、
前記飲料タンクを内部に備え、少なくとも１つのプラスチック容器挿入用開口部が頂壁に形成されたハウジングと、
前記開口部から前記飲料タンクの頂壁まで延びてプラスチック容器装着空間を画成する管状壁と、
前記プラスチック容器装着空間の中心軸線と整合する位置で前記飲料タンクの頂壁に設けたプラスチック容器用開栓手段と、
前記飲料タンク内の飲料を取り出すための、前記ハウジングの前面壁に装着された蛇口装置とを有し、
前記開栓手段が、挿入された前記プラスチック容器の蓋を突き破って破壊するとともに飲料の通過を許す機能を有するノズル管を含み、
前記プラスチック容器装着空間内に、前記プラスチック容器を支える容器支持部を設けて成る飲料供給器。
【請求項２】
前記飲料タンクの頂壁に、前記プラスチック容器の蓋に対応する開口が形成され、該開口内に前記開栓手段が配設されており、該開栓手段が、前記ノズル管と、該ノズル管を支えるノズル管支持部材を含み、該ノズル管支持部材が、前記頂壁に形成された開口の周面に突設された部材である請求項１に記載された飲料供給器。
【請求項３】
前記ノズル管が前記飲料タンクの頂壁を貫通し、前記プラスチック容器装着空間と前記飲料タンクの内部空間が前記ノズル管によって連通せしめられている請求項１に記載された飲料供給器。
【請求項４】
前記管状壁の下端に近い部分を狭めることによって前記容器支持部が形成され、前記プラスチック容器の肩部分が前記容器支持部によって支えられる請求項１に記載された飲料供給器。
【請求項５】
前記容器支持部が、前記飲料タンクの頂壁の一部であり、前記プラスチック容器の蓋の一部が前記容器支持部で支えられる請求項３に記載された飲料供給器。
【請求項６】
前記飲料タンクに、収容された飲料の温度を調節するための電気式温度制御装置が配設されている請求項１から請求項５までのいずれか１項に記載された飲料供給器。
【請求項７】
前記電気式温度制御装置が冷却装置である請求項６に記載された飲料供給器。
【請求項８】
前記電気式温度制御装置が加熱装置である請求項６に記載された飲料供給器。
【請求項９】
飲料を収容するプラスチック容器の蓋において、
前記蓋がカップ状体であって、頂壁と、該頂壁の周辺から延びる周囲壁とから成り、前記頂壁の中央領域に環状薄肉部分が形成され、該環状薄肉部分の中心が蓋の中心軸線と一致し、前記頂壁の、環状薄肉部分で包囲される部分に押圧力を作用させると、前記環状薄肉部分が破断して、プラスチック容器が開封されるようになっていることを特徴とするプラスチック容器の蓋。
【請求項１０】
前記環状薄肉部分が、前記頂壁の表面の環状溝によって形成されている請求項９に記載されたプラスチック容器の蓋。
【請求項１１】
前記環状薄肉部分が、前記頂壁の表面に環状列として複数の凹陥部を設けることによって形成されている請求項９に記載されたプラスチック容器の蓋。
【請求項１２】
前記周囲壁の内側に雌ねじが付与されており、該雌ねじがプラスチック容器の開口部外周の雄ねじに螺合するようになっている請求項９から請求項１１までのいずれか１項に記載されたプラスチック容器の蓋。
【請求項１３】
請求項１から請求項８までのいずれか１項で定義される飲料供給器に適用される請求項９から請求項１２までのいずれか１項に記載されたプラスチック容器の蓋。
【請求項１４】
プラスチック製である請求項９から請求項１３までのいずれか１項に記載されたプラスチック容器の蓋。
【請求項１５】
請求項９から請求項１４までのいずれか１項で定義される蓋を備えたプラスチック容器。
【発明の詳細な説明】
技術分野
本発明は、底壁、周壁および頂壁から成る飲料タンクを有し、飲料を収容する蓋付きプラスチック容器を、蓋の付いたまま倒立姿勢で装着することにより飲料タンクに飲料の補給を行なうようになっている飲料供給器、および、この飲料供給器に好適に使用されるプラスチック容器の蓋に関するものである。
背景技術
近年、ブロー成形されたプラスチック容器（典型的には、ＰＥＴボトル）に入った各種飲料（通称、ソフトドリンク）が市販されており、とりわけ、プラスチック容器入りミネラルウォーターに対する需要は極めて大きい。これらプラスチック容器入り飲料は、容器ごと冷蔵庫で冷やし、利用の都度冷蔵庫から取り出して、コップに注いで飲むというのが一般的な利用法である。この方法は、手間がかかるだけでなく、冷蔵庫内空間を常時プラスチック容器が占有して冷蔵庫の使用効率が悪いという不具合がある。とりわけ、夏場において、あるいは少人数の事業所等で、複数人がプラスチック容器入リミネラルウォーターを利用する場合、前記不具合が顕著に現れる。
そこで、水道水を冷却して供給する装置、または、容量３ガロン（１３，６５リッター）、５ガロン（２２，７５リッター）あるいは１０リッターのような大きなタンクを備えた冷却水供給装置が使用されている。
しかしながら、前者は、単なる水道水供給装置であるから、ミネラルウォーターを飲みたいという本質的欲求が満たされない。後者は、タンクの容量が大きいために、汎用されておらず、利用上の手軽さという点で難点がある。また、後者で使用するタンクは、プラスチック製であって反復使用するものであり、衛生上の問題が生じるだけでなく、複数回の使用で外表面に無数の微小疵がつき、早期に外表面が曇って外観性が悪くなるという不具合がある。
一方、ＪＰ−Ａ−６２−１０６８２７に清涼飲料混合装置が記載されている。この装置は、冷却水タンクと、炭酸ガスボンベとを有し、複数のシロップ収納容器を倒立姿勢で清涼飲料混合装置に装着した状態で使用するものである。この装置の機能は、シロップ収納容器内のシロップと、冷却水タンク内の水をそれぞれ一定量だけ抽出して炭酸ガスと共に混合し、利用者による利用の都度、適量の冷たい希釈炭酸飲料を利用者に提供するものである。したがって、ペットボトルに入った飲料を何らの処理を施すことなくそのまま飲用するための装置ではなく、前述のペットボトル問題を解決するものではない。
発明の開示
本発明は、かかる背景の下で創案されたものであり、その目的は、市販プラスチック容器入り飲料の利用性を向上させるとともに、飲む度に冷蔵庫を開けてプラスチック容器からコップに飲料を注ぐという面倒な手間を必要としない簡単な構造の飲料供給器を提供することである。
この目的の下で、本発明の第一の観点によれば、以下の飲料供給器が提供される。
底壁、周壁および頂壁から成る飲料タンクを有し、飲料を収容する蓋付きプラスチック容器を、蓋の付いたまま倒立姿勢で装着することにより飲料タンクに飲料の補給を行なうようになっている飲料供給器であり、
飲料タンクを内部に備え、少なくとも１つのプラスチック容器挿入用開口部が頂壁に形成されたハウジングと、
前記開口部から飲料タンクの頂壁まで延びてプラスチック容器装着空間を画成する管状壁と、
プラスチック容器装着空間の中心軸線と整合する位置で飲料タンクの頂壁に設けたプラスチック容器用開栓手段と、
飲料タンク内の飲料を取り出すための、ハウジングの前面壁に装着された蛇口装置とを有し、
前記開栓手段が、挿入されたプラスチック容器の蓋を突き破って破壊するとともに飲料の通過を許す機能を有するノズル管を含み、
プラスチック容器装着空間内に、プラスチック容器を支える容器支持部を設けて成る飲料供給器。
本発明の第一の好適形態に係わる飲料供給器では、飲料タンクの頂壁に、プラスチック容器の蓋に対応する開口が形成され、該開口内に開栓手段が配設されており、該開栓手段が、ノズル管と、該ノズル管を支えるノズル管支持部材を含み、該ノズル管支持部材が、頂壁に形成された開口の周面に突設された部材である。
前記第一の好適形態と区別される、本発明の第二の好適形態に係わる飲料供給器では、ノズル管が飲料タンクの頂壁を貫通し、プラスチック容器装着空間と飲料タンクの内部空間がノズル管によって連通せしめられている。この例の場合、プラスチック容器装着空間内でプラスチック容器を支える容器支持部を飲料タンクの頂壁の一部とし、プラスチック容器の蓋の一部を容器支持部で支える構成を採用することができる。
本発明の第三の好適形態に係わる飲料供給器では、プラスチック容器装着空間を画成する管状壁の下端に近い部分を狭めることによって容器支持部が形成され、プラスチック容器の肩部分が容器支持部によって支えられるようになっている。
本発明の第四の好適形態に係わる飲料供給器では、収容された飲料の温度を調節するための電気式温度制御装置が飲料タンクに配設される。好ましくは、この電気式温度制御装置が冷却装置である。また、使用形態によっては、電気式温度制御装置として加熱装置を用いてもよい。
また、本発明の第二の観点によれば、以下の飲料用プラスチック容器の蓋が提供される。
カップ状体として形成され、頂壁と、該頂壁の周辺から延びる周囲壁とから成り、頂壁の中央領域に環状薄肉部分が形成され、該環状薄肉部分の中心が蓋の中心軸線と一致し、頂壁の、環状薄肉部分で包囲される部分に押圧力を作用させると、環状薄肉部分が破断して、プラスチック容器が開封されるようになっているプラスチック容器の蓋。
本発明の好適形態としてのプラスチック容器の蓋では、環状薄肉部分が、頂壁の表面の環状溝によって形成されている。この蓋は、プラスチックで形成するのが好ましい。変形例では、環状薄肉部分が、頂壁の表面に環状列として複数の凹陥部を設けることによって形成される。
本発明の別の好適形態としてのプラスチック容器の蓋では、周囲壁の内側に雌ねじが付与されており、該雌ねじがプラスチック容器の開口部外周の雄ねじに螺合する。
本発明の第三の観点によれば、前記蓋を備えたプラスチック容器が提供される。
発明を実施するための具体的態様
以下、図示された本発明の具体例について説明する。
飲料供給器
本発明の一具体例である飲料供給器１０が図１に示されている。飲料供給器１０には、本発明の一具体例である蓋を具備するプラスチック容器（通称、ＰＥＴボトル）６０が上下逆転姿勢で装着されている。
飲料供給器１０は、外側部材であるハウジング１２、内側部材である飲料タンク２０、蛇口装置３０、および電気式冷却装置４０を主部材として構成されている。ハウジング１２は、プラスチック容器６０を装填するための２つの開口１４Ａ、１４Ｂを頂部に有する有底箱状体であり、飲料タンク２０を包囲するとともに不動に支持している。飲料タンク２０は、別体品としてハウジング１２内に固定してもよいが、ハウジング１２全体を複数の分割部材の組立て品として構成する場合に、それらの分割部材と一体に成形することもできる。この場合、好適には、ハウジング１２を樹脂製として、射出成形によってハウジング１２と飲料タンク２０を一体に形成することができる。
開口１４Ａ、１４Ｂは、ハウジング１２内に２本のプラスチック容器６０を差し入れるために、ハウジング１２の頂壁に形成されている。開口１４Ａ、１４Ｂの形状は、大多数の市販ＰＥＴボトルの形状に合わせて、図３に示されるように概略矩形になされている。プラスチック容器６０は、逆転姿勢（転倒姿勢）で開口１４Ａ、１４Ｂ内に挿入されるが、これを誘導するとともに、最深位置まで挿入されたプラスチック容器６０を安定姿勢で支えることができるように、開口１４Ａ、１４Ｂから飲料タンク２０の頂壁２２位置に至る管状壁１６Ａ、１６Ｂが設けられ、この管状壁によってプラスチック容器装着空間が画成されている。管状壁１６Ａ、１６Ｂの下半部は、プラスチック容器６０の肩部分の輪郭に合わせて概略漏斗状になされ、この漏斗状部分１６ａ、１６ｂから更に下方へ延びる下端小径部分１８Ａ、１８Ｂを有する。
管状壁１６Ａ、１６Ｂの下端小径部分１８Ａ、１８Ｂと共心関係なして、飲料タンク２０の頂壁２２に一対の飲料受入口２４が形成されている。各飲料受入口２４は、プラスチック容器６０の口径と概ね一致する直径を有し、その内部に開栓手段２６が配置されている。開栓手段２６は、各飲料受入口２４と共心関係にあるノズル管２６Ａと、ノズル管２６Ａを支える支持部材２６Ｂとから成る。ノズル管２６Ａの上端部分は頂壁２２よりも上に延びて、管状壁１６Ａ、１６Ｂの下端小径部分１８Ａ、１８Ｂ内にそれぞれ進入している。管状壁１６Ａ、１６Ｂ内に挿入されたプラスチック容器６０は、管状壁１６Ａ、１６Ｂの漏斗状部分１６ａ、１６ｂで支えられて、その口部分に取着された蓋が飲料受入口２４内に進入しないようになっている。また、ノズル管２６Ａの上端面は傾斜しており、側面視鋭角形状をなしている。この鋭角形状によると、後で説明するプラスチック容器６０の蓋を首尾よく破壊することができる。
また、ハウジング１２の前面は、上部１２Ａが庇（ひさし）状に張り出し、したがって上部以外の部分が後退した形状になされている。そして、この後退した形状によって与えられた空間部分１２Ｂに臨んで、ハウジング１２の壁に一対の汎用型蛇口装置３０が配設されている。各蛇口装置３０の配管３２は、ハウジング１２の壁および飲料タンク２０の壁（ハウジングと飲料タンクが一体に形成されている場合には、それらの共通壁）を貫通して、Ｌ字状の屈曲部から鉛直下方に伸長し、飲料タンク２０の基底近傍位置に達しており、その下端部が液体取入れ口である。なお、飲料タンク２０内を密閉空間にして、適切な内部加圧手段を設けた場合には、蛇口装置３０の蛇口位置を、庇（ひさし）状上部１２Ａの直下の最高位置に配置することができるが、それ以外の場合には、蛇口位置を飲料タンク２０の基底高さ水準に可及的に近く配置する必要がある。この配置は、蛇口の下にコップ等の飲用容器を差し入れる上で支障がない範囲で蛇口高さを下げることによって、飲料タンク２０内飲料の残量を如何に少なくできるかという観点で行なうべきである。また、本具体例では、一対の蛇口装置３０を設けているが、必ずしも一対である必要はなく、単一の蛇口装置であってよい。もっとも、飲料タンク２０を２槽として、それぞれに対応して蛇口装置３０を設けるならば、異なる２種類の飲料を貯溜することができ、飲料供給器１０の利便性が増すだろう。
さらに、飲料タンク２０には、小型電気式冷却装置（例えば、ペルチエ効果を利用した冷却装置）４０が配設されている。冷却装置４０は、飲料タンク２０の後壁を貫通して配設され、タンク外の放熱部分から放出される熱が、ハウジング１２の背面に設けた放熱口（複数のスロットを形成したものであってよい）を通じて周囲空間に逃げるようになっている。
プラスチック容器および蓋
飲料供給器１０に装填されるプラスチック容器５０は、その胴部が概略矩形断面の汎用型であり、容量２リッターのものが好適に使用される。プラスチック容器５０の肩５２は傾斜面をなし、前記のとおり、管状壁１６Ａ、１６Ｂの漏斗状部分１６ａ、１６ｂの形状に合致する。
プラスチック容器５０の口は、通常どおり蓋６０で塞がれる。蓋６０は、通常樹脂成形品であり、周囲壁（スカート部）６２と頂壁６６から成るカップ状体である。周囲壁６２の内周には、複数の雌ねじ用突条６４が形成され、プラスチック容器５０の口部分の外周に形成された雄ねじと螺合するようになっている。また、頂壁６６の内側に環状突起６６ｂが形成され、プラスチック容器５０の口部分との係合関係で密封性を確保するとともに、頂壁６６の剛性を増大するようになっている。環状突起６６ｂの中心は蓋６０の軸線と一致する。
頂壁６６の外側面には、蓋６０の軸線と共心関係にある環状溝６６ａが形成されている。環状溝６６ａは、頂壁６６の一部に薄肉部を設けて局部的に頂壁を弱体化するためのものである。そのため、頂壁６６の中央部分６８に外力を加えると、環状溝６６ａ位置で頂壁６６が容易に破断し、中央部分６８が押圧力で後退して飲料の通過を許す小開口が生じる。
飲料供給器の使用態様
飲料供給器１０の飲料タンク２０は、４リッター以上の容量を有し、２リッター容量のプラスチック容器２本分の飲料を注入できるようになっている。飲料タンク２０の基底に対する蛇口装置３０の蛇口高さ水準との関係で、飲料タンク２０内には常に一定の残量が存在することになるため、この残量に加えて４リッターの飲料を収容できる容量がプラスチック容器５０に要求される点に留意すべきである。
プラスチック容器５０の蓋６０は、予め破断容易なシート材で覆っておくのが好ましく、このシート材を取り除いた後、蓋６０を装着したまま、プラスチック容器５０を逆さまにして、ハウジング１２の開口１４Ａ内に挿入する。もちろん、初めに開口１４Ｂ内にプラスチック容器５０を挿入してもよいが、説明の都合上、初めに開口１４Ａ内に挿入することとする。挿入したプラスチック容器５０は、管状壁１６Ａに案内されて漏斗状部分１６ａに達する。この位置で、プラスチック容器５０の肩が漏斗状部分１６ａに突き当たり、漏斗状部分１６ａによってプラスチック容器５０が支えられる。
一方、プラスチック容器５０の肩が漏斗状部分１６ａに突き当たる直前に、蓋６０の頂壁６６が開栓手段２６のノズル管２６Ａに衝突して中央部分６８が押され、環状溝６６ａ部分で頂壁６６が破断する。この時、ノズル管２６Ａの上端面が鋭角状に傾斜しているため、先ず、中心から外れた位置で頂壁６６の中央部分６８が押され、押された側において環状溝６６ａの薄肉部分が破断する。この状態から、蓋６０の下降に従って、順次薄肉部分の破断が進行し、最終的には、中央部分６８が頂壁６６から完全に分離しない傾斜姿勢になって留まる。この間、頂壁６６の最初の破断と同時にプラスチック容器５０の内容物が流出を始め、中央部分６８の破断の進行で小開口の面積が増すと、内容物の流出速度が増す。かくして、プラスチック容器５０の内容物（すなわち、水等の飲料）が飲料タンク２０内に移し変えられる。なお、ノズル管２６Ａの上端面は必ずしも傾斜させる必要はない。その場合、頂壁６６の破断を容易にするために、ノズル管２６Ａの上端に単一の小突起を形成しておくのが好ましい。これは、頂壁６６の中央部分６８に作用する力を１箇所に集中させて、環状溝６６ａ部分の１箇所から破断を開始させるためである。なお、図示例では、頂壁６６に環状溝６６ａを形成することによって薄肉部分としたが、頂壁の表面に環状列として複数の凹陥部を設けることによっても、頂壁中央部分の破断を容易にすることができる。
ハウジング１２の開口１４Ａに対するプラスチック容器５０の挿入を終えた後、同様な方法で開口１４Ｂに対してプラスチック容器５０を挿入すればよい。２本のプラスチック容器５０を装填することにより、飲料タンク２０内に十分な量の飲料が補給される。
２本のプラスチック容器５０を装填した後は、次の補給まで、それらを取り外さない方がよい。これは、プラスチック容器５０が飲料タンク２０の飲料受入用小開口の栓を兼ねるからである。代替案として、飲料充填後、プラスチック容器５０を取り外して、開口１４Ａ、１４Ｂを備えつけの蓋で覆う方法もある。
飲料タンク２０内に補給された飲料は、冷却装置４０を作動させることによって、適温まで冷却することができる。代替法として、冷却装置の代わりに電熱器を使用すれば、冬季における飲料供給器の利用に好適である。飲料タンク２０を２槽式にした場合には、各槽に冷却装置４０を配設する必要がある。
図示例では、飲料タンク２０の頂壁２２に飲料受入口２４を形成し、該飲料受入口２４に臨んで、支持部材２６Ｂで支えられるノズル管２６Ａを配設したが、このようにノズル管２６Ａの外径に比して大径の飲料受入口２４を設けることなく、また支持部材２６Ｂを省略して、ノズル管２６Ａが頂壁２２に密接して不動に貫通し、ノズル管２６Ａの周囲に空隙が存在しない構成を採用することもできる。
本発明の利点は、以下のとおりである。
１．本発明の飲料供給器は、プラスチック容器内の飲料を飲料タンクに移し変えて貯留し、飲料を飲みたいと欲する人が蛇口装置を利用して、適宜貯留飲料をコップ等に入れることができるような構成になっており、飲料プラスチック容器から直接飲料を飲む場合、またはプラスチック容器から飲料を直接コップ等に入れる場合に比して、（ａ）衛生的である、（ｂ）使い勝手がよい、（ｃ）蓋を取り外したプラスチック容器を転倒させて周囲にある書類等を汚染させるような事故を未然に防止できる、（ｄ）職場における机の上に各人が飲料プラスチック容器を置くことによる見苦しさがない（職場内環境における美観性の向上）等の利点が得られる。
２．プラスチック容器を蓋の付いたまま倒立姿勢で飲料供給器に装着し、開栓手段によって自動的に蓋が破壊されるようになっており、蓋を取り外したプラスチック容器を傾けて飲料タンク内に飲料を注ぐ作業に比して、飲料補給作業が単純で、煩雑さがなく、注入飲料が周囲空気に直接触れないため、衛生的でもある。
３．プラスチック容器の蓋は、頂壁と、該頂壁の周辺から延びる周囲壁とから成り、頂壁の中央領域に環状薄肉部分が形成され、該環状薄肉部分の中心が蓋の中心軸線と一致し、頂壁の、環状薄肉部分で包囲される部分に押圧力を作用させると、環状薄肉部分が破断して、プラスチック容器が開封されるように構成されている。したがって、飲料供給器に対して蓋付きプラスチック容器を装填すると、開栓手段によって頂壁の中央領域が破壊され、プラスチック容器内の飲料が自動的に飲料タンク内に注入される。このことが、前記項目２の利点を保証する。
４．飲料タンクの頂壁に、プラスチック容器の蓋に対応する開口を形成し、該開口内に開栓手段であるノズル管を配設した構造によれば、飲料供給器のプラスチック容器挿入用開口部内にプラスチック容器を挿入すると、プラスチック容器の蓋がノズル管の上端に衝突して、蓋の頂壁が環状薄肉部分で破断する。この場合、飲料容器のプラスチック容器装着空間を画成する管状壁の損傷、および開栓手段の損傷を防ぐという観点から、プラスチック容器の挿入を飲料による自重のみによって行なうことが推奨され、環状薄肉部分の厚さを適切に定めることにより、飲料の自重のみで容易に蓋の頂壁を破壊できる。
５．開栓手段であるノズル管が飲料タンクの頂壁を貫通し、プラスチック容器装着空間と飲料タンクの内部空間がノズル管によって連通せしめられた構造では、プラスチック容器の蓋が飲料タンク内空間に直接臨まないため、衛生上、更に有利である。また、ノズル管支持部材を省略でき、部品点数の削減と、製作経費の節減を企図し得る。
６．蓋頂壁の環状薄肉部分で包囲される頂壁の中央領域が、ノズル管で押されて完全に分離することはないであろうが、仮にそのようなことが起きると、分離した中央領域が飲料タンク内に落ち込むことになる。市販プラスチック容器の蓋部分を包装しておくことによって、中央領域の落ち込みによる衛生上の問題は生じないものの、その数が増えて飲料タンクの底部に蓄積されるのは好ましくない。このような懸念は、ノズル管の上端を傾斜面にすることによって確実になくすことができる。上端傾斜面のノズル管によれば、頂壁中央領域の中心から離れた箇所に最初の押圧力が作用して、環状薄肉部分が１点から破断を始め、それが次第に進行する形態となるため、頂壁中央領域がプラスチック容器内に押しこまれた傾斜姿勢で頂壁の破壊が終わり、中央領域の完全分離を避けることができる。また、ノズル管の上端面を傾斜させれば、飲料を含むプラスチック容器の自重のみによって蓋頂壁の破壊が確実に行なわれる。
７．飲料タンクに、電気式温度制御装置である冷却装置を配設することによって、飲料タンク内の飲料を冷却、保冷することができ、冷蔵庫に保管したプラスチック容器を飲用の度に冷蔵庫から取り出して、コップに注ぎ、再度冷蔵庫に戻すという面倒な手間をかける必要がなく、冷却装置を備えた飲料供給器は有用かつ便利である。また、職場、またはその他の団体において多人数で飲料供給器を使用する場合には、各人が冷蔵庫の開閉を行なってプラスチック容器を飲用に供する場合に比して、多大の無駄労力を排除できるのみならず、冷蔵庫の開閉を行なうことによる電気エネルギーの損失を防ぐことができる。
８．飲料タンクに、電気式温度制御装置である加熱装置を配設することによって、特に冬季において、別途湯沸しを行なうことなく、加熱飲料（コーヒー等）を飲用することができる。
産業上の利用可能性
本発明による蓋を備えたプラスチック容器に収容された飲料を本発明飲料供給器で温度調整して飲用できる。
【図面の簡単な説明】
図１は、本発明の一具体例に係わる飲料供給器の正面図である。
図２は、図１に示した飲料供給器の側面図である。
図３は、図１、図２に示した飲料供給器の平面図である。
図４は、図１に示した飲料供給器の内部構造の一部を示す縦断面図である。
図５は、本発明の一具体例に係わる蓋の側面図である。
図６は、図５に示した蓋の頂面図である。
図７は、図５、図６に示した蓋のＶＩＩ−ＶＩＩ線に沿う縦断面図である。
【図１】
2002048020.tif 000003
【図２】
2002048020.tif 000004
【図３】
2002048020.tif 000005
【図４】
2002048020.tif 000006
【図５】
2002048020.tif 000007
【図６】
2002048020.tif 000008
【図７】
2002048020.tif 000009
【国際調査報告】
2002048020.tif 000010
2002048020.tif 000011